(57)【特許請求の範囲】
【請求項１】
第１のネットワークで動作する第１の装置と第２のネットワークで動作する第２の装置とを有する無線ネットワークシステムであって、第１の装置は、無線媒体を介してデータを送受信するための通信インタフェースと、第１のネットワーク内で動作する他の装置が第１の装置をアドレス指定可能な第１のネットワークの第１のショートアドレスを有する第１のネットワークコンフィギュレーションデータであって、第１の装置を第１のネットワーク内で動作可能にする第１のネットワークコンフィギュレーションデータを格納するコンフィギュレーションメモリとを有し、第２の装置は、無線媒体を介してデータを送受信するための通信インタフェースと、第２のネットワーク内で動作する他の装置が第２の装置をアドレス指定可能な第２のネットワークの第２のショートアドレスを有する第２のネットワークコンフィギュレーションデータであって、第２の装置を第２のネットワーク内で動作可能にする第２のネットワークコンフィギュレーションデータを格納するコンフィギュレーションメモリとを有し、第１の装置及び第２の装置は、第２の装置が第１のネットワークに加入するためのモードであるコミッショニングモードで動作し、前記コミッショニングモードでは、第２の装置が前記コミッショニングモードで使用される発見メッセージを報知し、第１の装置は、前記発見メッセージを受信すると、第１のネットワーク内の各装置がアドレス指定可能な少なくとも第３のショートアドレスを有する第１のネットワークコンフィギュレーションデータを第２の装置へ供給し、第２の装置は、第２の装置の前記コンフィギュレーションメモリに第３のショートアドレスを有する第１のネットワークコンフィギュレーションデータを格納することにより、第２の装置が第２のネットワーク内でアドレス指定可能なだけでなく、第１のネットワーク内でアドレス指定可能となる、無線ネットワークシステム。
【請求項２】
第１の装置は、更に、既定の近接値を有し、前記発見メッセージが第１の装置と第２の装置との間の距離を示す近接情報を有し、第１の装置は、前記発見メッセージを受信すると、前記近接情報により示される距離が前記近接値に対応するかどうかを決定し、前記近接情報が前記近接値に対応する場合、前記コミッショニングモードに入る、請求項１に記載の無線ネットワークシステム。
【請求項３】
第１の装置及び第２の装置のそれぞれの前記通信インタフェースは、Ｚｉｇｂｅｅ（登録商標）ネットワークシステムで使用される、請求項１又は２に記載の無線ネットワークシステム。
【請求項４】
第２の装置がルート設定の能力を持たない装置である、請求項１乃至３の何れか一項に記載の無線ネットワークシステム。
【請求項５】
第２の装置が、前記無線ネットワークシステム内の他の装置へアプリケーション制御命令を送信し、及び／又はネットワークシステム内の他の装置からアプリケーションデータ値を受信するためのユーザ制御インタフェースを有する制御装置である、請求項１乃至４の何れか一項に記載の無線ネットワークシステム。
【請求項６】
第１の装置が、アプリケーション装置に接続可能なアプリケーションインタフェースを有する機能装置であって、前記無線ネットワークシステム内の他の装置からアプリケーション制御命令を受信し、及び／又はネットワークシステム内の他の装置へアプリケーションデータ値を送信するアプリケーションインタフェースを有する機能装置である、請求項１乃至５の何れか一項に記載の無線ネットワークシステム。
【請求項７】
第１の装置の前記コンフィギュレーションメモリに含まれる第１のネットワークコンフィギュレーションデータが、第１のネットワークで利用可能な範囲のショートアドレスを有し、第１の装置は、利用可能なショートアドレスの範囲内で第２の装置へ供給される第１のネットワークの第３のアドレスを選択する、請求項１乃至６の何れか一項に記載の無線ネットワークシステム。
【請求項８】
第１のネットワークで動作する第３の装置を具備し、第１の装置がアドレスリクエストを第３の装置へ送信するため、第３の装置は、前記アドレスリクエストを受信すると、第３のアドレスを第１の装置へ少なくとも送信する、請求項１乃至６の何れか一項に記載の無線ネットワークシステム。
【請求項９】
無線媒体を介してデータを送受信するための通信インタフェースと、装置を無線ネットワークシステム内の特定のネットワーク内で動作可能にするネットワークコンフィギュレーションデータであって、前記特定のネットワーク内で動作する他の装置が前記装置をアドレス指定可能な前記特定のネットワークのショートアドレスを有する前記ネットワークコンフィギュレーションデータを格納するコンフィギュレーションメモリとを少なくとも有する請求項１乃至８の何れか一項に記載の無線ネットワークシステムでの使用のための装置であって、前記装置は、前記発見メッセージを報知し、前記発見メッセージに応じて、前記無線ネットワークシステム内の他のネットワークで動作する他の装置から、前記他のネットワークの他のショートアドレスを少なくとも有する他のネットワークコンフィギュレーションデータを受信し、前記コンフィギュレーションメモリに前記他のネットワークコンフィギュレーションデータを格納して、前記装置が元々動作している前記特定のネットワーク内でアドレス指定可能なだけでなく、前記装置は、前記他のネットワーク内でアドレス指定可能である、装置。
【請求項１０】
第１のネットワークで動作する第１の装置と第２のネットワークで動作する第２の装置とを有する無線ネットワークシステムの動作方法であって、第１の装置は、無線媒体を介してデータを送受信するための通信インタフェースと、第１のネットワーク内で動作する他の装置が第１の装置をアドレス指定可能な第１のネットワークの第１のショートアドレスを有する第１のネットワークコンフィギュレーションデータであって、第１の装置を第１のネットワーク内で動作可能にする第１のネットワークコンフィギュレーションデータを格納するコンフィギュレーションメモリとを有し、第２の装置は、無線媒体を介してデータを送受信するための通信インタフェースと、第２のネットワーク内で動作する他の装置が第２の装置をアドレス指定可能な第２のネットワークの第２のショートアドレスを有する第２のネットワークコンフィギュレーションデータであって、第２の装置を第２のネットワーク内で動作可能にする第２のネットワークコンフィギュレーションデータを格納するコンフィギュレーションメモリとを有し、第２の装置は、第２の装置が第１のネットワークに加入するためのモードであるコミッショニングモードで使用される発見メッセージを報知し、第１の装置は、前記発見メッセージを受信すると、第１のネットワーク内の各装置がアドレス指定可能な少なくとも第３のショートアドレスを有する第１のネットワークコンフギュレーションデータを第２の装置へ供給し、第２の装置は、第２の装置の前記コンフィギュレーションメモリに第３のショートアドレスを有する第１のネットワークコンフィギュレーションデータを格納して、第２の装置が第２のネットワーク内でアドレス指定可能なだけでなく、第１のネットワーク内でアドレス指定可能となる、方法。
【請求項１１】
コンピュータで実行するとき、請求項１０に記載の方法を実施可能にするコンピュータプログラム。
【発明の詳細な説明】
【技術分野】
【０００１】
本発明は無線ネットワークシステム及び無線ネットワークシステムをコミッションする方法に関する。
【背景技術】
【０００２】
無線媒体上を通信する装置を備える無線ネットワークシステムは、今日、様々なアプリケーションで一般的である。斯様なネットワークシステムでは通常、ネットワークシステムの一部である各装置が識別可能なネットワークアドレスを持つので、このアドレスを使用する特定の装置にメッセージを向けることが可能である。このように、各通信はメッセージに加えて少なくともアドレスを有するので、メッセージが所望の受け側に到達する。例えば、遠隔制御ユニット及び複数の制御可能な機器、例えば照明装置、温度センサ又は加熱装置を持つネットワークにおいて、遠隔制御ユニットの各々は、ユーザが規定したグループ内の機器を個別に制御可能にするため、各単一の機器へのアドレスの仕方、又は受信したセンサ値の適切な処置の仕方についての情報を必要とする。
【発明の概要】
【発明が解決しようとする課題】
【０００３】
ネットワークシステムをオペレートするため、ネットワーク装置の各々がネットワーク内でアドレス可能であることが必要である。従って、ネットワークに加入する新規な装置が、設定され、又はコミッションされる必要がある。
【０００４】
斯様なネットワークシステムの最初の設定が完全である場合でも、ネットワークシステムの設定を変えるか又は強化された機能のため複数のネットワークシステムからの装置をマージすることが必要であろう。
【０００５】
ネットワークシステムのこのように必要な設定は、楽な取付け及びネットワーク部品の「プラグアンドプレイ」挙動を期待しているユーザ、特に消費者にとって退屈な作業である。例えば、ネットワークのマージの場合、ユーザは、通常、ネットワークの１つから装置を取り除き、その後これらの装置をそれぞれ他のネットワークシステムに加える必要がある。
【０００６】
従って、簡単で便利で且つ信頼性がある設定を可能にする無線ネットワークシステムを提供することが、本発明の目的である。
【課題を解決するための手段】
【０００７】
上述の目的は、請求項１及び１１による無線ネットワークシステムと、対応する無線ネットワークシステムをコミッションする方法により解決される。従属請求項は、本発明の好ましい実施例に関する。
【０００８】
本発明の基本的アイデアは、第１のネットワークシステムの一部であるネットワーク装置が、発見モードで第２のネットワークシステムの一部である加入装置と通信する、無線ネットワークシステムを提供することである。
【０００９】
発見モードでは、加入装置は、発見メッセージを報知し、発見メッセージは、受信されると、第１のネットワークシステムのネットワーク装置が第１のネットワークシステムに加入するためコミッショニングモードに入るようにさせ、成功したコミッショニングの後、加入装置はアドレス指定可能になり、よって両方のネットワークシステムで動作可能となる。
【００１０】
本発明のこの態様は、加入装置が第２のネットワークシステム内での動作のために既に設定されている、すなわち加入装置が「バージン」でない、設定されていない装置ではないにもかかわらず、加入装置が第１のネットワークシステムに加わることを可能にする。例えば、退屈な分離工程によって、第２のネットワークシステムから加入装置をユーザが明確に分断することが好適にも必要ではない。
【００１１】
更にまた、加入装置は、同時に複数のネットワークシステムに存在してもよく、必要な通信パラメータ及び最終的なユーザー規定の結合関係、無線ネットワークシステムの有用性を強化する装置リセットなしでのグループ及びグループ―シーン設定を維持し、強化され便利なプラグ＆プレイ挙動を可能にする無線ネットワークシステムの利用可能性を強化する。
【００１２】
本発明の本態様による無線ネットワークシステムは、少なくともネットワーク装置及び加入装置を有し、各々が無線媒体、好ましくは共有の媒体を介してデータを送信及び受信するための通信インタフェースを持つ。通信インタフェースは、好ましくはＲＦ通信インタフェース、最も好ましくは、ＩＥＥＥ８０２．１１又はＩＥＥＥ８０２．１５．４のような、標準通信プロトコルとの通信用に設定されたＲＦインタフェースであるが、例えば光通信インタフェースのような任意の適当なタイプでもよい。
【００１３】
ネットワーク装置は、第１のネットワークシステムでの動作用に設定されている一方、加入装置は、第２のネットワークシステムでの動作用に設定されていて、すなわちこれら装置は、例えばそれぞれのネットワークの他の装置との通信のためのネットワーク通信モードで、異なるネットワーク内の通信用に設定されている。
【００１４】
本願では、用語「ネットワークシステム」は、それぞれのネットワークの規定のネットワークアドレスを使用して、互いに通信可能な一つ以上の装置の論理ネットワークを指す。第１及び第２のネットワークシステムは、例えばパーソナルエリアネットワーク（ＰＡＮ）であり、各々が、少なくとも物理的近傍でそれぞれのネットワークシステムを信頼性が高く固有に識別可能にする、固有のネットワーク識別情報、例えばＰＡＮ−ＩＤを持つ。
【００１５】
本発明によると、ネットワーク装置は、通信のための、すなわち第１のネットワークシステムでアドレス指定可能なための第１のネットワークアドレスで設定される。加入装置は、第２のネットワークシステムでアドレス指定可能なための少なくとも第２のネットワークアドレスで設定される。
【００１６】
確かに、使用されるそれぞれの通信プロトコルに依存して、装置は、各それぞれのネットワークにおいてネットワーク通信のための他のパラメータ、例えば暗号化された通信のためのセキュリティキーのようなネットワークセキュリティに関係する情報、チャネル番号（例えばＭＡＣチャネル選択）、ネットワークＩＤ衝突を処理するための仲裁情報又は規定の通信モードを備える。
【００１７】
ネットワークアドレス及び可能性がある他のパラメータは、ハードコードされ、例えば工場設定されるか、又はそれぞれの装置の適当なメモリにプログラムされてもよい。ネットワークアドレスは、それぞれのネットワークシステム内の装置が（通常の動作状態で）個別にアドレス指定可能であることを可能にする任意の適当な種類でよい。ネットワークアドレスのフォーマット及び長さは、使用される特定の通信プロトコルに依存し、ネットワークアドレスの長さ、すなわち利用可能なアドレス範囲に関しては、ネットワーク内の装置の数に確実に依存する。個別にネットワークの一部である装置をアドレス指定することが必要なだけなので、「ネットワークワイド（ネットワークサイズ）」の固有のアドレスが好ましい。
【００１８】
本発明によると、加入装置は、更に、少なくともネットワークアドレスを格納するためのコンフィギュレーションメモリを有する。コンフィギュレーションメモリは、任意の適切なタイプ、一つ以上の内部若しくは外部ＲＡＭ又はＦＬＡＳＨメモリユニットのような例えば可変メモリである。好ましくは、第２のネットワークアドレスと、第２のネットワークシステムの任意の最終的な他のパラメータは、加入装置の前記コンフィギュレーションメモリに格納される。確かに、ネットワーク装置は、例えば第１のネットワークアドレスを格納するために、コンフィギュレーションメモリも有する。
【００１９】
ネットワーク装置及び加入装置は、例えば、電源（例えば、バッテリ若しくはメイン電源に接続される電源ユニット）、プロセッサユニット、ユーザインタフェース又はメモリのような他の部品を有する。好ましくは、ネットワーク装置及び／又は加入装置各々は、少なくとも通信インタフェースを介して命令を送信／受信するために適合され、例えば、メモリに含まれる適当なプログラムを使用して、それぞれの装置の挙動の少なくとも一部を実行する中央処理ユニットを有する。
【００２０】
本発明によると、ネットワーク装置及び加入装置は、加入装置が発見メッセージを無線媒体内に報知する発見モードで、少なくとも動作するように設定される。発見メッセージを受信するネットワーク装置がコミッショニングモードに入る。発見メッセージは、ネットワーク装置をコミッショニングモードに入らせる任意の適切なタイプでよい。
【００２１】
コミッショニングモードでは、ネットワーク装置は、第１のネットワークシステム内の通信のために必要とされる少なくとも第３のネットワークアドレスを有する「加入情報」を加入装置へ送信するので、加入装置は、ネットワークに「加入する」、加入装置を「コミッションする」、加入装置を第１のネットワークシステムに「関連付ける」とも呼ばれる、第１のネットワークシステムに加えられる。ネットワークシステムの通信プロトコルに依存して、加入情報は、第１のネットワークシステムでの通信のために必要な他のパラメータを有する。例えば、斯様なパラメータは、ネットワークシステムの通信プロトコルに依存して、暗号化された通信のためのセキュリティキーのようなネットワークセキュリティに関係する情報、チャネル番号（例えばＭＡＣチャネル選択）、ネットワークＩＤ衝突を処理するための仲裁情報又は規定の通信モードを有する。ネットワーク装置が少なくともセキュリティキーを有して発する場合、ネットワーク装置は、好ましくは、信用センターに通信する。最も好ましくは、加入情報は、方向付けられた、すなわち装置間のユニキャスト送信の後続の交換のためにネットワーク装置の第１のネットワークアドレスを、更に有する。
【００２２】
コミッショニングが完了すると、加入装置は、第１のネットワークシステム内のその存在を、例えば少なくともそのネットワークアドレスを有するアナウンス報知又はネットワークサイズの報知でアナウンスするように好ましくは設定される。
【００２３】
コミッショニングの後で、加入装置は、第１のネットワークシステムのメンバとみなされ、両装置が動作可能であり、互いと通信でき、第１のネットワークシステム内の可能性のある他の装置と通信できる。加えて、加入装置は、第２のネットワークシステム内でアドレス指定可能であり、すなわち加入装置は、第２のネットワークアドレスと、第２のネットワークシステムでの動作のための全ての最終的な他の通信パラメータとを維持し、両方のネットワークシステム内での同時の動作、及びメンバシップ、すなわち第１のネットワークシステムへの第２のネットワークシステムの「橋渡し」を可能にする。
【００２４】
広義には、コミッショニングの前に、装置は、これらそれぞれのネットワークシステム内の通信のために設定されていると考えられてもよいことは留意されたい。
【００２５】
本発明は、明らかに、加入装置を２つのネットワークシステムと接続することに限定されず、上述の手順を使用して、それぞれの通信プロトコルに応じて、加入装置を他のネットワークシステム、すなわち３つ以上のネットワークシステムに加えることは、確かに可能である。
【００２６】
発見モードは、例えば加入装置の対応する「加入モード」又は「橋渡し」ボタンを押すことにより、ユーザにより開始されてもよく、その際、加入装置は、前記発見メッセージを報知する。
【００２７】
しかしながら、セキュリティの理由のために、ネットワーク装置は、発見モードの安全な開始があるときだけ、コミッショニングモードに入るように設定されることが好ましい。
【００２８】
本実施例によると、安全性条件が満たされる場合にだけ、ネットワーク装置はコミッショニングモードに入り、及び／又は加入情報を供給する。このように、本実施例は、例えば隣のユーザのような他のユーザの装置の偶発的なコミッショニングを好適に回避する。
【００２９】
安全な開始は、更に、装置の選択の可能性をユーザに提供する。これは、特に、意図しないネットワーク設定を回避しながら、送信範囲内の多数の装置を持つ大きなネットワークシステムで有利である。
【００３０】
最も単に、安全な開始は、例えばユーザにより手動で作動するネットワーク装置の対応する「加入モード」ボタンにより提供されてもよい。
【００３１】
代わりに又は追加的に、装置の一つに安全なキー、例えば識別番号（ＰＩＮ）を供給し、それぞれ他の装置にキーのユーザ入力のためのユーザインタフェース、例えばキーパッドを供給することは可能である。ユーザにより入力されるキーは、その後、例えば前記発見メッセージに含まれ、ネットワーク装置へ移されるので、格納された安全なキーにユーザ入力が一致する場合だけネットワーク装置がコミッショニングモードに入る。
【００３２】
他の変わりの実施例又は付加的な実施例によると、安全な開始は、以下に説明されるように、装置の物理的近接の検出に基づいてもよい。装置の近接の検出は、安全な開始が何れのユーザ介在もなしで実行されるという利点を含み、ネットワークシステムの有用性を更に改善する。
【００３３】
本実施例によるネットワーク装置は、更に既定の近接値を有する。前記加入装置により送られる発見メッセージは、ネットワーク装置と加入装置との間の距離に対応する近接情報を有する。発見メッセージを受信するネットワーク装置は、前記近接情報が前記既定の近接値に対応するかどうかを決定するように設定される。近接情報が近接値に対応する場合、ネットワーク装置は、コミッショニングモードに入り、前記加入情報を加入装置に送る。
【００３４】
近接情報は、加入装置とネットワーク装置との間の物理的距離を決定可能にする全ての情報を含む。近接情報は、好ましくは、ネットワーク装置へ送信される加入装置の通信の信号強度、例えば発見メッセージの信号強度と対応し、よって、本質的に発見メッセージに含まれている。
【００３５】
既定の近接値は、近接値を近接情報と比較可能な何れの適当な種類でもよい。例えば、近接値は、規定された距離に対応する閾値の形式でもよいので、近接情報が閾値より低い場合、すなわち加入装置が規定された距離よりネットワーク装置に近い場合の加入装置だけがコミッショニングモードに入る。
【００３６】
既定の近接値は、ネットワーク装置内にハードコードされるか、又は適当なメモリに含まれるので、所望のアプリケーションに従って近接値を適合させることが可能である。好ましくは、近接値は、２ｍ未満の距離、最も好ましくは０．５ｍの距離に対応する近接閾値であるので、加入装置が、規定された近接閾値よりネットワーク装置に近い場合にだけ、コミッショニングモードに入る。
【００３７】
既に上述されているように、ネットワーク装置及び加入装置の通信インタフェースは、標準ネットワークシステム用に設定されていてもよい。従って、発見モードでの通信は、無線通信が確立される今日知られている任意の適当な通信プロトコルに対応してもよい。本発明を実行するための好ましい通信プロトコルの適当なグループは、通常、アドホック無線ネットワークシステムと呼ばれる。
【００３８】
本発明を実行するための特に適当で好ましい通信プロトコルは、Ｚｉｇｂｅｅ（登録商標）である。従って、通信インタフェースは、最も好ましくはＺｉｇｂｅｅ（登録商標）ネットワークシステム用に設定される。本発明はこれに限定されるわけではないが、例示目的でＺｉｇｂｅｅ（登録商標）を参照して以下に説明される。
【００３９】
Ｚｉｇｂｅｅ（登録商標）は、オープンスタンダードであり、物理的リンクレイヤ（ＰＨＹ）及び媒体アクセス制御レイヤ（ＭＡＣ）を規定するＩＥＥＥ８０２．１５．４通信プロトコルに基づいている。Ｚｉｇｂｅｅ（登録商標）はこのプロトコルを使用し、ＩＥＥＥ８０２．１５．４により提供される、ＭＡＣレイヤの上部にネットワークレイヤ（ＮＷＫ）及びアプリケーションレイヤ（ＡＰＬ）を規定する。Ｚｉｇｂｅｅ（登録商標）及びＺｉｇｂｅｅ（登録商標）プロトコルスタックの説明は、例えば、Ｚｉｇｂｅｅ（登録商標）  Ａｌｌｉａｎｃｅ社から利用可能な２００８年１月１７日付けのドキュメント１＿０５３４７４ｒ１７ＺＢでのＺｉｇｂｅｅ（登録商標）仕様書に開示されている。
【００４０】
Ｚｉｇｂｅｅ（登録商標）を参照すると、ネットワークアドレスは、好ましくは、Ｚｉｇｂｅｅ（登録商標）ショートネットワークアドレスに対応する。ネットワーク識別情報は、好ましくは、Ｚｉｇｂｅｅ（登録商標）ＰＡＮ−ＩＤと対応し、最も好ましくは拡張ＰＡＮ−ＩＤと対応する。Ｚｉｇｂｅｅ（登録商標）に関する用語「ネットワークシステム」は、好ましくは個人領域ネットワーク（ＰＡＮ）に対応する。
【００４１】
例えばネットワーク通信が暗号化されている場合、発見モードで、ネットワーク通信が可能でないので、発見モードでは、ネットワーク装置及び加入装置の通信インタフェースがネットワーク外通信のために設定されていることが好ましい。ネットワーク外通信の間、装置が異なるネットワークシステムでの動作のために設定されているにもかかわらず、装置は直接通信のための一時的リンクを形成する。このように、装置は、一時的ネットワークを形成するとみなされる。
【００４２】
本発明の好ましい実施例及びＺｉｇｂｅｅ（登録商標）を参照すると、上述のＺｉｇｂｅｅ（登録商標）仕様で説明されたように、発見メッセージは、Ｚｉｇｂｅｅ（登録商標）グローバルＰＡＮ―ＩＤ送信に対応する。
【００４３】
Ｇｌｏｂａｌ  ＰＡＮ−ＩＤ送信フレームは、特定の確保されたＰＡＮ番号、例えばＤｓｔＰＡＮＩＤ＝０ｘＦＦＦＦでアドレスされるので、斯様な送信フレームは、ルーティングされ送信範囲内で各装置により受信される。よって、同じＺｉｇｂｅｅ（登録商標）ネットワーク内にある必要が必ずしもない装置間の通信が可能であり、すなわちネットワーク外の通信を提供する。
【００４４】
代わりに、又は追加して、本発明のこの観点の展開によると、発見メッセージは、Ｚｉｇｂｅｅ（登録商標）  Ｉｎｔｅｒ−ＰＡＮ伝送に対応する。Ｚｉｇｂｅｅ（登録商標）  Ｉｎｔｅｒ−ＰＡＮ伝送は、Ｚｉｇｂｅｅ（登録商標）  Ａｌｌｉａｎｃｅ社から利用可能な２００８年５月２９日付けのドキュメント０７５３５６ｒ１４に開示されているようなＺｉｇｂｅｅ（登録商標）スマートエネルギプロファイルに規定されている。
【００４５】
Ｚｉｇｂｅｅ（登録商標）  Ｉｎｔｅｒ−ＰＡＮ伝送を使用して、ネットワーク装置が、限定された態様でＺｉｇｂｅｅ（登録商標）ネットワークの一部である必要は必ずしもない、他の装置と情報を交換することが可能である。
【００４６】
Ｚｉｇｂｅｅ（登録商標）  Ｉｎｔｅｒ−ＰＡＮ伝送フレームのフォーマットは、ＮＷＫレイヤ内にネットワークアドレスを通常有さず、既定のアドレス（例えば、所望の行き先装置のＭＡＣアドレス）でアドレス指定される。Ｚｉｇｂｅｅ（登録商標）  Ｉｎｔｅｒ−ＰＡＮ伝送の使用は、Ｚｉｇｂｅｅ（登録商標）ネットワークを「オープン」にする必要なく、すなわち、加入装置を加えるためにセキュリティ手段を一時的に不能にする必要なく、異なるＺｉｇｂｅｅ（登録商標）ネットワークの装置、すなわちネットワーク装置と、コミッショニング終了前の加入装置との間の信頼性が高い通信を可能にするので、特に有効である。
【００４７】
確かに、コミッショニングモードでの他の通信は、Ｚｉｇｂｅｅ（登録商標）  ｇｌｏｂａｌ  ＰＡＮ−ＩＤ及び／又はＩｎｔｅｒ−ＰＡＮ伝送をそれぞれ使用して、好ましくは実施されてもよい。
【００４８】
本発明の好ましい実施例によると、加入装置はエンド装置である。本願では、「エンド装置」は、ルート設定の能力を持たず、ネットワークシステム内で必ずしも永久に活動するわけではないネットワーク装置である。装置は、長期間「休眠」すなわちスリープモードにあり、送信が必要とされるときだけ活動してもよい。このようにして、その全体の電力消費は劇的に低減される。本発明によると、加入装置は、このように同時に複数のネットワーク、例えば第１及び第２のネットワークシステムのエンド装置であり、例えば「マルチネットワーク」グループキャストを使用して、両方のネットワーク内の装置を制御する。
【００４９】
好ましくは、加入装置は、Ｚｉｇｂｅｅ（登録商標）エンド装置に対応し、最も好ましくは、加入装置は、Ｚｉｇｂｅｅ（登録商標）による低減機能性装置（ＲＦＤ）である。
【００５０】
本発明の好ましい実施例では、加入装置はモバイル装置であり、ここで、用語「モバイル」は手によって容易に移動可能な、すなわち適切なサイズ及び重量を持つ装置を含むと理解される。好ましくは、モバイル装置は、メイン電源に接続されていず、例えばバッテリ又は他の適当な電源を持つ。
【００５１】
本発明の展開によると、加入装置は、アプリケーション制御コマンドをネットワークシステム内の他の装置へ送信し、及び／又はネットワークシステム内の他の装置からアプリケーションデータ値を受信するためのユーザ制御インタフェースを更に有する制御装置である。本願では、用語「ユーザ制御インタフェース」は、送信されるべきアプリケーション制御コマンドの始動のための入力インタフェース又はアプリケーションデータ値の表示のための表示装置のような、ユーザとのインタラクションのための任意のインタフェースを含むと理解される。例えば、ユーザ制御インタフェースは、幾つかのボタン及び／又はＬＣＤディスプレイを有してもよい。
【００５２】
アプリケーション制御コマンドは、例えば、ネットワーク内の装置に接続される、照明ユニットをオンオフ切り換えるため、アプリケーション装置を制御するための任意の種類のコマンドでもよく、ネットワーク設定又はネットワーク管理目的を意図したネットワーク制御コマンドとは対照的である。同じことが、例えば接続されたセンサのセンサ読み出し値を有する、アプリケーションデータ値に当てはまる。
【００５３】
Ｚｉｇｂｅｅ（登録商標）のような無線ネットワークを参照すると、前記アプリケーション制御コマンド及びアプリケーションデータ値は、アプリケーションレイヤ上の通信に関連し、アプリケーションオブジェクトに対応する。
【００５４】
本発明の実施例のセットアップによると、制御装置は、好適には、発見モードで上述された発見機能と、更にまたアプリケーション機能、すなわちネットワーク通信モードでアプリケーション制御コマンドを送信するか又はアプリケーションデータ値を受信するアプリケーション機能とを提供する。よって、アプリケーション制御のための他の専用装置がネットワークシステム内に必要とされず、好適にもネットワークシステムの複雑さを低減させ、更にユーザのための操作性を強化する。
【００５５】
本実施例による制御装置は、コンピュータ又は単なる壁スイッチでもよいが、好ましくは、バッテリ動作されるリモートコントロールである。
【００５６】
本発明の展開によると、ネットワーク装置は、アプリケーション制御コマンドを受信し、及び／又はアプリケーションデータ値をネットワークシステム内の他の装置、例えば加入装置へ送信するように設定された、アプリケーションインタフェースを有する機能装置である。アプリケーションインタフェースは、例えば制御、スイッチング又はセンサ機能を実施するためのアプリケーション装置と接続可能である。アプリケーション装置は、照明ユニット、加熱装置又は電気的に制御可能な装置の任意のタイプのような任意の適当な種類でよい。例えば、接続された照明ユニットの場合に、アプリケーションインタフェースは、対応するアプリケーション制御コマンドを受信すると、照明ユニットを調光するために照明ユニットのオンオフを切り換えるように設定される。更に、アプリケーションインタフェースは、代わりに又は追加的に、接続されたアプリケーション装置のアプリケーションデータ値、例えば温度センサの温度読取値、水若しくは電気メータの読取値、又は煙若しくは火災検出器の警告を送信するように設定される。
【００５７】
好ましくは、機能装置は、アプリケーション装置、例えば照明ユニットと一体化されている。Ｚｉｇｂｅｅ（登録商標）ネットワークシステムの状況において、ネットワーク装置は、好ましくは十分な機能装置（ＦＦＤ）及び／又はルータに対応する。ネットワーク装置がルータである場合、加入装置は、好適には、その後ネットワーク装置によりルーティングされる第１のネットワークシステムの他の装置へメッセージを送信する。上述のように、前記コミッショニングモードでは、加入装置は、第１のネットワークシステム内の動作のためのネットワークアドレスを少なくとも有する加入情報でプログラムされる。このとき、加入装置は、第１のネットワークシステムのメンバとみなされ、第１のネットワークシステムの他の装置と通信する。
【００５８】
上述のように、加入装置は、また、第２のネットワークシステム内に残り、すなわち、加入装置は、その「元の」装置、すなわち第２のネットワークシステム内の装置とも通信する。制御装置の上記実施例では、加入装置は、このように、例えばアプリケーション制御命令を送信し、それに応じてアプリケーションデータ値を受信するように、両方のネットワーク内の機能装置を制御可能である。例えば、ユーザは、例えば「マルチネットワーク」グループ又は報知で両方のネットワーク内の照明ユニットのための照明シーンを定める。
【００５９】
同時の動作を達成するために、複数の通信インタフェースを持つ加入装置が供給される。代わりに又は追加的に、加入装置は、通信が現在必要とされるそれぞれのネットワークのパラメータで通信インタフェースをオペレートするように設定され、これは「準同時」動作を提供する。
【００６０】
加入情報は、例えば、コミッショニングの間、又はコミッショニングより前に送信される、例えば、加入装置への前記ネットワーク装置の通信の一つ以上の「加入メッセージ」に含まれる。前記コミッショニングモードでの通信は、それぞれの通信プロトコルに従って少なくともネットワークアドレスを加入装置に供給するための任意の適切なコミッショニング又は設定方法を参照してもよい。Ｚｉｇｂｅｅ（登録商標）を参照すると、Ｚｉｇｂｅｅ（登録商標）規格ドキュメントに説明されているように、コミッショニングモードでの通信は、通信に一致する。
【００６１】
好ましくは、発見メッセージは、加入装置の既定のアドレスを有する。最も好ましくは、ネットワーク装置は、コミッショニングモードにおいて、前記既定のアドレスでアドレス指定される加入装置へ前記加入情報を送信するように設定される。
【００６２】
本実施例は、限定された数の必要な送信だけで加入装置の信頼性が高いコミッショニングを可能にする。既定のアドレスは、加入装置を個々に区別可能である任意の種類の情報でよい。例えば、既定のアドレスは、工場設定アドレスである。好ましくは、既定のアドレスは、ＭＡＣアドレスである。既定のアドレスは、例えば通信インタフェース内でハードコードされ、又は適当なメモリ、例えばコンフィギュレーションメモリに含まれてもよい。
【００６３】
好ましい実施例によると、ネットワーク装置及び加入装置は、コミッショニングモードで通信するように設定され、ネットワーク装置は、ネットワーク識別情報を報知するように設定され、加入装置は、報知を受信すると、既定のアドレスを有するネットワークに加入するというリクエストをネットワーク装置へ送信するように設定され、ネットワーク装置は、第３のネットワークアドレスを加入装置へ割り当てることによりリクエストに応答し、ネットワークアドレスに対応するデータをコンフィギュレーションメモリに格納し、既定のアドレスを使用して少なくとも第３のネットワークアドレスを有する加入情報を加入装置へ送信するように設定され、加入装置は、加入情報を受信し、加入情報をコンフィギュレーションメモリに格納するように設定されるので、加入装置は、第３のネットワークアドレスを使用して第１のネットワークシステムでアドレス指定可能である。
【００６４】
ネットワーク識別情報は、少なくとも物理的に近接で、第１のネットワークシステムを信頼性が高く固有に識別可能である。好ましくは、ネットワーク識別情報は、第１のネットワークシステムの固有識別子であり、最も好ましくは工場設定固有識別子である。例えば、ネットワーク識別情報は、通常ＩＥＥＥ  ＭＡＣアドレス、例えば６バイト装置識別子に基づいた、ネットワーク装置自体の全般的な固有識別子（ＵＵＩＤ）でもよい。ネットワーク識別情報は、ネットワーク装置内でハードコードされるか、又は可変メモリに含まれてもよい。好ましくは、ネットワーク識別情報は、コンフィギュレーションメモリに格納される。
【００６５】
上述のように、ネットワーク装置は、加入装置に第３のネットワークアドレスを割り当てる。ネットワーク装置は、例えばランダムベースで前記ネットワークアドレスを割り当てる。しかしながら、アドレスの重複を回避するために、ネットワーク装置は、好ましくは、例えばネットワーク装置自体の前のコミッショニングで得られたアドレス範囲に対応する情報を具備する。斯様な情報は、例えば適切なメモリに格納される。
【００６６】
ネットワーク装置が加入装置への割当てのための未使用のアドレスを有さない場合、ネットワーク装置は、第１のネットワークシステム内の第２のネットワーク装置から第３のアドレスを得るように設定される。従って、ネットワーク装置は、好ましくは、第２のネットワーク装置へアドレスリクエストを送信するように、前記発見モードで設定される。前記アドレスリクエストを受信する第２のネットワーク装置は、第１のネットワーク装置に第３のネットワークアドレスを供給する。前述されるように、その後、第１のネットワーク装置は、第３のネットワークアドレスを加入装置に割り当てる。
【００６７】
確かに、第２のネットワーク装置は、好ましくは、アドレス範囲情報、すなわち第１のネットワーク装置に対する複数のネットワークアドレスを送信するので、その後第１のネットワーク装置は、新規な加入装置がコミッションされることを必要とするたびにアドレスリクエストを送信することなく、他の装置をコミッションする。好ましくは、アドレスリクエストは、第１のネットワークシステム内のネットワークワイド報知であるので、他の装置の幾つかがアクティブではないか、又は送信範囲内にない場合、第３のアドレスは安全に受信される。確かに、ネットワーク設定に依存して、応答がアドレスリクエストに応答して受信されないことが起こるかもしれない。この場合、ネットワーク装置は、最も好ましくは、規定されたタイムアウトの後、ランダムにネットワークアドレスを選択するように設定される。このとき、最終的なアドレス衝突は、ネットワークシステムの動作の間に解決される。
【００６８】
複数の応答が前記アドレスリクエストに応答して受信される場合、ネットワーク装置は、好ましくは、第１の応答のアドレスを使用し、第３のネットワークアドレスとしてアドレスを加入装置に割り当てるように設定される。このとき、全ての他の応答は、無視できる。
【００６９】
本発明の進展によると、加入情報は、複数のアドレス、例えば第１のネットワークシステムのアドレス範囲情報を有する。ネットワークに加入されると、加入装置は、第１のネットワークシステムでの動作のため他の装置をコミッションする、すなわち加入装置が「ホストをコミッションする」ように働くので、本実施例は特に有利である。
【００７０】
他の有利な実施例は、従属請求項に述べられている。
【００７１】
本発明の上記目的、他の目的、特徴及び利点は、好ましい実施例の以下の説明から明らかになるだろう。
【図面の簡単な説明】
【００７２】
【図１】図１は、ネットワーク装置の実施例を模式図で示す。
【図２】図２は、加入装置の実施例を模式図で示す。
【図３】図３は、無線ネットワークシステムの実施例の模式図を示す。
【図４】図４は、発見モードでの通信の実施例を記号的なフローチャートで示す。
【図５】図５は、発見モードでの通信の他の実施例を記号的なフローチャートで示す。
【図６】図６は、コミッショニングの後、図３による無線ネットワークシステムの実施例を示す。
【図７】図７は、アドレスリクエスト手順の間の通信の実施例を記号的表現で示す。
【発明を実施するための形態】
【００７３】
図１は、模式的な表現で、本実施例では部屋照明の照明ユニットであるネットワーク装置１の第１の実施例を示す。ネットワーク装置１は、以下で「Ｚｉｇｂｅｅ（登録商標）」又はＺｉｇｂｅｅ（登録商標）プロトコルと呼ばれる、Ｚｉｇｂｅｅ（登録商標）及びＩＥＥＥ８０２．１５．４通信プロトコルに従って、ＲＦ無線通信のために供給された、適当なアンテナ３を備える通信インタフェース２を有する。ＩＥＥＥ８０２．１５．４は、物理的リンクレイヤ（ＰＨＹ）及び媒体アクセス制御レイヤ（ＭＡＣ）を供給する。Ｚｉｇｂｅｅ（登録商標）は、ＭＡＣレイヤの上部でアプリケーションレイヤ（ＡＰＬ）及びネットワークレイヤ（ＮＷＫ）を供給する。Ｚｉｇｂｅｅ（登録商標）及びＺｉｇｂｅｅ（登録商標）プロトコルスタックの説明は、例えば、Ｚｉｇｂｅｅ（登録商標）  Ａｌｌｉａｎｃｅ社から利用可能な２００８年１月１７日付けのドキュメント１＿０５３４７４ｒ１７でのＺｉｇｂｅｅ（登録商標）仕様書に開示されている。以下に説明されるように、通信インタフェース２は、Ｚｉｇｂｅｅ（登録商標）  Ｐｒｏスタックプロフィールを更に実行する。Ｚｉｇｂｅｅ（登録商標）  Ｐｒｏ及び対応する通信スタックの説明は、Ｚｉｇｂｅｅ（登録商標）  Ａｌｌｉａｎｃｅ社から利用可能な２００８年１月付けのドキュメント０７４８５５ｒ０５に開示されている。
【００７４】
通信インタフェース２は、ＭＡＣレイヤ上の通信のため固有の６４ビットＭＡＣアドレスを有し、例えば適切なプログラミングでマイクロコントローラを使用して通信インタフェース２を介した通信を制御するＣＰＵ４に接続されている。更にまた、ＣＰＵ４は、ランプ６を制御する、すなわちランプ６をオン／オフ切換えしランプ６を調光するために制御するアプリケーションインタフェース５に接続されている。アプリケーションインタフェース５は、遠隔制御装置のようなネットワークの他の装置からのアプリケーション制御命令の受信に応じて、ネットワーク上で制御可能である。ネットワーク装置１の全ての部品は、メイン接続を持つ（図示されていない）電源装置７に接続されている。
【００７５】
更に、信号強度検出器９は、入って来る通信の受信信号強度を決定するため通信インタフェース２に接続され、受信された信号強度指標（ＲＳＳＩ）値をＣＰＵ４に供給する。近接メモリ１０は、前記ＲＳＳＩ値、すなわち近接閾値と比較するための信号強度閾値を有するＣＰＵ４に接続されるので、ＣＰＵ４は、ネットワーク装置１と通信する装置が規定の距離内にあるかどうかを決定することが可能である。本実施例によると、近接閾値は、０．５メートル未満の距離に対応する。ネットワークアドレス及びネットワークコンフィギュレーションデータを格納するための可変コンフィギュレーションメモリ８が供給される。
【００７６】
ネットワーク装置１は、Ｚｉｇｂｅｅ（登録商標）フル機能装置（ＦＦＤ）に対応する。通信インタフェース２は、ルーティングのため、すなわちメッセージを受信して転送するように設定され、よって更に、ネットワーク装置１はＺｉｇｂｅｅ（登録商標）ルータに対応する。
【００７７】
図２は、加入装置２１の実施例を模式図で示す。加入装置２１は、遠隔制御装置であり、ネットワーク装置１に対応して、Ｚｉｇｂｅｅ（登録商標）に従って無線ＲＦ通信のために供給されるアンテナ３を持つ通信インタフェース２を有する。通信インタフェース２は、ＩＥＥＥ８０２．１５．４に従ってＭＡＣレイヤ上の通信のための固有の６４ビットＭＡＣアドレスを有し、通信を制御するＣＰＵ２４に接続されている。ＣＰＵ２４は、例えば加入装置２１に結び付けられた照明ユニットのようなアプリケーション装置のアプリケーションインタフェースを制御するためアプリケーション及びネットワーク制御機能のためのＬＣＤディスプレイ２７及びボタン２６を持つ、ユーザ制御インタフェース２５と接続される。可変コンフィギュレーションメモリ２８は、ネットワークアドレス及びネットワークコンフィギュレーションデータを格納するために供給される。バッテリ２９は、加入装置２１の全ての部品に電力を供給する。加入装置２１は、しばしば低減機能性装置（ＲＦＤ）と呼ばれるＺｉｇｂｅｅ（登録商標）エンド装置であり、通信が必要でないとき休止していて、よってバッテリ節電している。
【００７８】
図３に示されるように、ネットワーク装置１は、第１のネットワークシステム３０での動作のために設定され、加入装置２１は、第１のネットワークシステム３０とは異なる第２のネットワークシステム３５での通信のために設定される。このように、これら装置は、Ｚｉｇｂｅｅ（登録商標）プロトコルを使用して、アドレス指定、媒体アクセス、ルーティング能力等を含むネットワーク機能を供給する、閉じた個人領域通信ネットワーク（ＰＡＮ）を形成する各それぞれのネットワークシステム３０、３５で動作可能である。
【００７９】
Ｚｉｇｂｅｅ（登録商標）ネットワークでは、各装置は、ネットワークレイヤ（ＮＷＫ）上の通信のための１６ビットネットワークワイドの固有の識別子であるショートネットワークアドレスで固有のアドレス指定可能である。本説明に関して、ネットワークシステム内の装置のメンバシップ内及びネットワーク内の通信は、例えばＺｉｇｂｅｅ（登録商標）のショートネットワークアドレスで、又は現在の個人領域ネットワーク（ＰＡＮ）内のアドレスのグループでのネットワークレイヤ（ＮＷＫ）上の通信を指す。
【００８０】
ネットワークが始まるとき、又は新規な装置がネットワークに加入するとき、ネットワークをコミッションする、すなわちネットワークシステム内で通信可能にするために、少なくとも装置にネットワークアドレスを割り当てる必要がある。Ｚｉｇｂｅｅ（登録商標）ネットワークの最初の設定のための対応するコミッショニング手順は、例えばＺｉｇｂｅｅ（登録商標）  Ａｌｌｉａｎｃｅ社から入手可能でる２００７年１０月２５日付けのＺｉｇｂｅｅ（登録商標）ＨＡＰ仕様書、ドキュメント０５３５２０ｒ２５ｚＢ＿ＨＡ＿ＰＴＧ（ホームオートメーションプロファイル）で見ることができる。
【００８１】
上述のように、Ｚｉｇｂｅｅ（登録商標）に従って、ネットワーク装置１は、第１のネットワークシステム３０での動作のために設定され、加入装置２１は、第２のネットワークシステム３５での動作のために設定される。このように、装置１、２１は、例えば従来のコミッショニング手順の間、それぞれのネットワークシステムでの通信のために設定される。図３の矢印により示されるように、ネットワーク装置１は、ネットワークシステム３０の他の装置３３、３６とメッセージを交換できる一方、加入装置２１は、他の装置３２、３４とメッセージを交換できる。本例の他の装置３２、３３、３４、３６は、照明ユニット又は他の遠隔制御ユニットである。
【００８２】
従って、ネットワーク装置１のコンフィギュレーションメモリ８は、例えばネットワーク装置１の事前コミッショニングの間に得られたネットワークシステム３０のネットワークコンフィギュレーションデータを有する。ショートネットワークアドレスに加えて、ネットワークコンフィギュレーションデータは、第１のネットワークシステム３０の個人領域ネットワーク識別子（ＰＡＮ―ＩＤ）を有する。
【００８３】
ＰＡＮ―ＩＤは、ネットワークシステム３０が、その近接の他のネットワークシステムと、すなわち第２のネットワークシステム３５と識別可能であることを提供する。Ｚｉｇｂｅｅ（登録商標）を参照すると、ＰＡＮ―ＩＤは、通常それぞれのネットワークシステムの６４ビットの「グローバルに」固有の識別子である拡張ＰＡＮ―ＩＤで補充される。
【００８４】
ネットワーク装置１のコンフィギュレーションメモリ８は、更に、ネットワーク通信のためのチャネルに対応する情報と通信を安全にするためのネットワークキーとを有する。
【００８５】
例えば、Ｚｉｇｂｅｅ（登録商標）  ＨＡＰによるネットワークキーは、１２８ビットの長さを持つＡＥＳに基づく。キーは、例えばランダム数発生器を使用して生成されるか、及び／又はネットワーク装置１若しくは第１のネットワークシステム３０の他のネットワーク装置のＭＡＣアドレスに基づいてもよい。加えて、新規な加入装置のコミッショニングのために占められていないアドレスのアドレス範囲が、前記コンフィギュレーションデータに含まれる。このように、ネットワーク装置１のコンフィギュレーションメモリ８は、以下のネットワークコンフィギュレーションデータを有する。
ネットワーク装置１のネットワークコンフィギュレーションデータ：
ＰＡＮ−ＩＤ（ｎｗｋシステム３０）
拡張ＰＡＮ−ＩＤ（ｎｗｋシステム３０）
ネットワークキー（ｎｗｋシステム３０）
チャネル番号（ｎｗｋシステム３０）
アドレス範囲：＃２−＃３０（ｎｗｋシステム３０）
割り当てられた装置アドレス：ショートネットワークアドレス＃１（ｎｗｋシステム３０）
【００８６】
上記に対応して、加入装置２１のコンフィギュレーションメモリ２８は、第２のネットワークシステム３５の以下のネットワークコンフィギュレーションデータを有する。
加入装置２１のネットワークコンフィギュレーションデータ：
ＰＡＮ−ＩＤ（ｎｗｋシステム３５）
拡張ＰＡＮ−ＩＤ（ｎｗｋシステム３５）
ネットワークキー（ｎｗｋシステム３５）
チャネル番号（ｎｗｋシステム３５）
アドレス範囲（オプション、ｎｗｋシステム３５）
割り当てられた装置アドレス：ショートネットワークアドレス＃２１（ｎｗｋシステム３５）
ネットワーク装置−結合関係：
ショートネットワークアドレス＃３２（装置３２）
ショートネットワークアドレス＃３４（装置３４）
【００８７】
以下では、ユーザが、（遠隔制御）加入装置２１で、照明ユニットすなわちネットワーク装置１を制御しようとすると仮定される。
【００８８】
これら装置は、異なるＰＡＮ―ＩＤ及びネットワークキーを持つ異なるＺｉｇｂｅｅ（登録商標）ネットワーク（ＰＡＮ）で設定されるので、ショートネットワークアドレスでアドレス指定されるネットワークレイヤ上の通信は、可能でない。以下では、ネットワークシステム内の装置のメンバシップ及びネットワーク内の通信は、ネットワークレイヤ（ＮＷＫ）上で規定されるネットワークアドレス、例えばＺｉｇｂｅｅ（登録商標）ショートネットワークアドレスを使用する通信を指す。
【００８９】
従って、ユーザは、明確にネットワークシステム３５から加入装置２１を外し、ネットワークシステム３０に装置を加入しなければならず、結果的に、前の全てのユーザ設定、例えばグループ設定及び装置３２、３４との制御結合関係の喪失になってしまう。
【００９０】
斯様な不利な点を回避するため、本実施例によると、ネットワーク装置１及び加入装置２１は、発見モードの動作のために設定される。発見モードの間、ネットワーク装置１及び加入装置２１の通信インタフェース２は、Ｚｉｇｂｅｅ（登録商標）  Ｉｎｔｅｒ―ＰＡＮ送信モードで通信するためそれぞれのＣＰＵ４及び２４により駆動され、装置が異なるＺｉｇｂｅｅ（登録商標）ネットワークで操作のために設定されるにもかかわらず、ネットワーク装置１が加入装置２１と情報を交換可能にする。このように、Ｚｉｇｂｅｅ（登録商標）  Ｉｎｔｅｒ―ＰＡＮ送信は、図３に示されるように、ネットワーク外通信チャネル３１とみなされる。
【００９１】
Ｚｉｇｂｅｅ（登録商標）  Ｉｎｔｅｒ−ＰＡＮ伝送は、Ｚｉｇｂｅｅ（登録商標）  Ａｌｌｉａｎｃｅ社から利用可能な２００８年５月２９日付けのドキュメント０７５３５６ｒ１４に開示された「Ｚｉｇｂｅｅ（登録商標）スマートエネルギープロフィール」で規定される。Ｉｎｔｅｒ−ＰＡＮ伝送リクエストは、ＮＷＫレイヤの関与なしに、アプリケーションフレームを直接ＭＡＣレイヤへ渡し、ＭＡＣレイヤから受信されたＩｎｔｅｒ−ＰＡＮアプリケーションフレームを直接アプリケーションへ渡すために丁度充分な処理を実施する、アプリケーションサポートサブレイヤの特別な「Ｓｔｕｂ」により、Ｚｉｇｂｅｅ（登録商標）スタックで通常扱われる。
【００９２】
発見モードでの通信の第１の実施例は、シンボル的なフローチャートを示す図４を参照して、以下のように説明される。発見モードは、ユーザ操作、例えば制御インタフェース２５上の対応する「加入モード」ボタン２６のボタン押しがあると、ステップ４０で加入装置２１に対して始動される。ネットワーク装置１は、ネットワーク動作のために設定されるとき、すなわちコンフィギュレーションメモリ８が空でないとき、発見モードに永続的に設定される。
【００９３】
発見モードが起こると、加入装置２１は、発見メッセージ、すなわちネットワークに加入するためのリクエスト及び加入装置２１の少なくともＭＡＣアドレスを有するＩｎｔｅｒ−ＰＡＮ伝送を報知する。発見メッセージは、一定の間隔、本実施例では２秒毎に送信される。
【００９４】
ネットワーク装置１は、伝送範囲内にあり、ステップ４１で発見メッセージを受信する。信号強度検出器９は、前記発見メッセージの受信信号強度（ＲＳＳＩ）を決定し、ＲＳＳＩ値は、ＣＰＵ４へ転送され、ＣＰＵ４は、ステップ４２で近接メモリ１２０からポーリングされる信号強度閾値とＲＳＳＩ値とを比較する。ＲＳＳＩが信号強度閾値以上である場合、すなわち、加入装置２１がネットワーク装置１に０．５メートルより近い場合、ネットワーク装置１は、ステップ４３及び４４に従ってコミッショニングモードに入る。
【００９５】
ステップ４３では、ネットワーク装置１は、その利用できるアドレス範囲外のショートネットワークアドレスに、すなわちネットワーク装置１のコンフィギュレーションメモリ８に含まれるショートネットワークアドレス＃２に加入装置２１を割り当てる。その後、ステップ４４で、ネットワーク装置１は、加入装置２１のＭＡＣアドレスでアドレス指定され、ステップ４１で前記発見メッセージにおいて受信された加入情報を、Ｚｉｇｂｅｅ（登録商標）  Ｉｎｔｅｒ―ＰＡＮ伝送で加入装置２１に送る。加入情報は、ネットワークシステム３０のチャネル番号、ネットワークキー、拡張ＰＡＮ―ＩＤ及び割り当てられたショートネットワークアドレス＃２を有する。加入情報は、更に、加入装置２１がネットワーク３０に加入すると、加入装置２１による装置の更なるコミッショニングのためのアドレス範囲情報と、アプリケーションインタフェース５の制御のため、すなわちネットワーク装置１の機能に結合するためのネットワーク装置１のショートネットワークアドレス＃１とを有する。
【００９６】
加入装置２１の装置コンフィギュレーションメモリ２８は、加入情報を受信すると、ステップ４５でネットワーク装置１からの加入情報でプログラムされるので、加入装置２１は第１のネットワークシステム３０でアドレス指定可能である。加入装置２１は、第２のネットワークシステム３５のそのコンフィギュレーションデータを保持するので、成功したコミッショニング後の加入装置２１は、ネットワークシステム３０、３５両方のメンバである。このとき、加入装置２１のコンフィギュレーションメモリ２８は、以下の情報を有する。
加入装置２１のネットワークコンフィギュレーションデータ：
ＰＡＮ−ＩＤ（ｎｗｋシステム３５）
拡張ＰＡＮ−ＩＤ（ｎｗｋシステム３５）
ネットワークキー（ｎｗｋシステム３５）
チャネル番号（ｎｗｋシステム３５）
アドレス範囲（オプション、ｎｗｋシステム３５）
ＰＡＮ−ＩＤ（ｎｗｋシステム３０）
拡張ＰＡＮ−ＩＤ（ｎｗｋシステム３０）
ネットワークキー（ｎｗｋシステム３０）
チャネル番号（ｎｗｋシステム３０）
アドレス範囲：＃３−＃１５（ｎｗｋシステム３０）
割り当てられた装置アドレス：
ショートネットワークアドレス＃２１（ｎｗｋシステム２５）
ショートネットワークアドレス＃２（ｎｗｋシステム３０）
ネットワーク装置−結合関係：
ショートネットワークアドレス＃３２（装置３２）
ショートネットワークアドレス＃３４（装置３４）
ショートネットワークアドレス＃１（ネットワーク装置１）
【００９７】
加入装置２１は、このとき、図６に示されるように、ネットワーク３０、３５両方のメンバとみなされ、当該方法は終了する。ネットワーク装置１のショートネットワークアドレスを使用して、ランプ６は、加入(制御)装置２１のユーザ制御インタフェース５を使用して制御可能である。このとき、加入装置２１のボタン２６が、通常バインディングと呼ばれているネットワーク装置１の特定のアプリケーションインタフェース５を制御するために割り当てられている。
【００９８】
加えて、加入装置２１は、第２のネットワークシステム３５の他の装置３２、３４とまだ結合されていて、アプリケーション制御命令を送信するか、又は装置３２、３４のアプリケーションデータ値をそれぞれ受信する。加入装置２１は、例えば対応する「マルチネットワーク」グループキャストを持つ装置１、３２及び３４を制御する。
【００９９】
加入装置２１の成功したコミッショニング後に、ネットワーク装置１は、占められたものとしてショートネットワークアドレス＃２をマークし、アドレス衝突を回避するため利用可能なアドレス範囲から前記アドレス及び割り当てられた他のアドレスを除去する。このとき、ネットワーク装置１のコンフィギュレーションメモリ８は、以下のコンフィギュレーション情報を有する。
ネットワーク装置１のネットワークコンフィギュレーションデータ：
ＰＡＮ−ＩＤ（ｎｗｋシステム３０）
拡張ＰＡＮ−ＩＤ（ｎｗｋシステム３０）
ネットワークキー（ｎｗｋシステム３０）
チャネル番号（ｎｗｋシステム３０）
アドレス範囲：＃１６−＃３０（ｎｗｋシステム３０）
割り当てられた装置アドレス：
ショートネットワークアドレス＃１（ｎｗｋシステム３０）
装置２１に割り当てられたショートネットワークアドレス＃２（ｎｗｋシステム３０、オプション）
【０１００】
発見モードでの通信の他の実施例が、図５のフローチャートに示されている。図５の実施例は、複数の装置が加入装置２１に物理的近接内にあるので、加入するために特定の装置を選択することが必要である場合、特に有利である。
【０１０１】
図４を参照して上述されたように、加入装置２１は、ユーザ介在によりステップ５０で発見モードに入り、Ｉｎｔｅｒ―ＰＡＮ発見メッセージを報知する。本実施例によると、発見メッセージは、必ずしもＭＡＣアドレスを有するわけではない。
【０１０２】
ネットワーク装置１は、ステップ５１で前記発見メッセージを受信し、その信号強度検出器９は、前記発見メッセージの受信した信号強度（ＲＳＳＩ）を決定する。ＲＳＳＩ値は、ＣＰＵ４へ転送され、ＣＰＵ４は、ステップ５２で近接メモリ１０からポーリングされた信号強度閾値とＲＳＳＩ値を比較する。ＲＳＳＩ値が信号強度閾値以上である場合、すなわち加入装置２１がネットワーク装置１に０．５メートルより近い場合、ネットワーク装置１は、ステップ５３−５７に従って、コミッショニングモードに入る。
【０１０３】
ステップ５３では、ネットワーク装置１は、Ｉｎｔｅｒ−ＰＡＮメッセージのＭＡＣアドレスと共にＲＳＳＩ値を報知する。加入装置２１は、ステップ５４で、ネットワーク装置１及び全ての偶発的他の装置、例えば図３を参照すると第１のネットワークシステム３０の例えば他の装置３３、３６の報知を受信する。
【０１０４】
加入装置２１のＣＰＵ２４は、受信した全ての報知の受信ＲＳＳＩ値を比較し、最高のＲＳＳＩ値を送信した装置、すなわち加入装置２１に最も近い装置を決定する。図３を参照し、他の装置３３、３６が加入装置２１に近いがネットワーク装置１が最も近いとみなして、ネットワーク装置１が選択される。
【０１０５】
その後、加入装置２１は、ステップ５５で、ネットワーク装置１のＭＡＣアドレスでアドレス指定されるＩｎｔｅｒ−ＰＡＮ加入リクエストをネットワーク装置１へ送信する。加入リクエストは、加入装置２１のＭＡＣアドレスを有する。
【０１０６】
ステップ５６で、ネットワーク装置１により加入リクエストを受信すると、ネットワーク装置１は、加入装置２１に、そのアドレス範囲外のショートネットワークアドレス、すなわちネットワーク装置１のコンフィギュレーションメモリ８に含まれるショートネットワークアドレス＃２を割り当てる。
【０１０７】
その後、ステップ５７で、ネットワーク装置１は、加入装置２１のＭＡＣアドレスでアドレス指定され、ステップ５５の前記加入リクエストで受信された加入情報を、Ｚｉｇｂｅｅ（登録商標）Ｉｎｔｅｒ―ＰＡＮ送信で加入装置２１へ送信する。送信された加入情報は、図４の実施例に対応する。
【０１０８】
加入装置２１は、ステップ５８で加入情報を受信し、その後、装置のＣＰＵ２４は、新しい加入情報で装置コンフィギュレーションメモリ２８をプログラムする。その後、加入装置２１は、ネットワークシステム３０、３５両方で動作可能であり、コミッショニングが終了する。
【０１０９】
図３を参照して説明されるように、ネットワーク装置１は、新規な加入装置、例えば加入装置２１をコミッションさせるためのアドレス範囲情報を有する。ネットワーク装置１は、コミッショニングの間、すなわちネットワークシステム３０へのネットワーク装置１の先の加入の間に、アドレス範囲情報を最初に受信する。しかしながら、「コミッショニングホスト」としてネットワーク装置１によりネットワーク３０に加入する装置の数に依存して、装置１は、割り当て可能なアドレスが尽きるかもしれない。図４及び図５の実施例を参照すると、加えてこのように、ネットワーク装置１は、図４及び図５それぞれの実施例のステップ４３及びステップ５６でのアドレスリクエスト手順で付加的なアドレスを得るように設定される。前記アドレスリクエスト手順の通信は、図７を参照して以下に説明される。
【０１１０】
前述されたように、加入装置２１は、図４及び図５それぞれの実施例のステップ４３及びステップ５６で、ネットワーク３０に加入するためのリクエスト７１をネットワーク装置１へ送信する。その後、ネットワーク装置１は、アドレスがそのコンフィギュレーションメモリ８に割り当て可能であるかどうかを決定する。割り当て可能でない場合、ネットワーク装置１は、アドレス範囲リクエスト７２をネットワーク３０に報知する。前記リクエスト７２を受信した他の装置、例えば装置３６は、割り当て可能なアドレスがそのメモリにあるかどうかを決定する。割り当て可能なアドレスが存在する場合、装置３６は、装置３６のネットワークアドレスを有するアドレス利用可能なメッセージ７３を報知する。
【０１１１】
ネットワーク装置１は、メッセージ７３を受信すると、装置３６のネットワークアドレスでアドレス指定され、ネットワーク装置１のネットワークアドレス＃１を有するユニキャストアドレスリクエスト７４を装置３６へ送信する。装置３６は、ネットワーク装置１にその利用できるアドレスのアドレス範囲を割り当て、占められたアドレス範囲をマークし、ネットワーク装置１のショートネットワークアドレス＃１でアドレス指定される、ネットワークユニキャスト通信のアドレス範囲情報７５をネットワーク装置１へ送る。
【０１１２】
その後、ネットワーク装置１は、加入装置２１にネットワークアドレス及びアドレス範囲を割り当て、前述したように、加入情報７６を加入装置２１へ送信する。図４及び図５の実施例の全ての他のステップ及び通信は、上述のように実行される。
【０１１３】
本発明は、図面及び前述の説明で詳細に例示され説明された。斯様な例示及び説明は、図示的又は例示的であって、限定的ではないとみなされるべきであり、本発明は、開示された実施例に限定されない。
【０１１４】
例えば、以下の実施例で本発明を実施することが可能である。
ネットワーク通信がＩＥＥＥ８０２．１１プロトコルに対応する。
加入装置２１は遠隔制御装置ではなく、コンピュータ又は壁スイッチである。
加入情報は、ネットワークコンフィギュレーションメモリ８とは別個の加入装置２１の他のメモリに格納される。
ネットワークキーは、ネットワークコンフィギュレーションメモリ８とは別個のネットワーク装置１に供給される、キーストレージに格納される。
通信インタフェース２は、Ｚｉｇｂｅｅ（登録商標）  Ｐｒｏの代わりに、標準Ｚｉｇｂｅｅ（登録商標）アドレス割り当て方法を使用するように設定される。
加入情報４２は、使用される通信プロトコルに依存して、追加又は異なる情報を有する。
メモリ１０に含まれる代わりに、ネットワーク装置１のネットワークコンフィギュレーションメモリ８が既定の近接値を有する。
ランプ６を有する代わりに、ネットワーク装置１は、例えば外部接続端子との接続のためのアプリケーションインタフェースを有するか、又は湿度センサ、火気検出器、煙検出器、水道メータ、電気メータ、ガスメータ、加熱装置又は任意の他のタイプの機器のようなアプリケーション装置と接続される。
図５の実施例を参照すると、ステップ５３で、そのＭＡＣアドレスを報知する代わりに、ネットワーク装置１は、ネットワークシステム３０のＰＡＮ―ＩＤ及び／又は拡張ＰＡＮ―ＩＤを報知する。
ステップ５５で、加入装置２１は、ネットワークシステム３０のＰＡＮ―ＩＤ及び／又は拡張ＰＡＮ―ＩＤを持つそのリクエストをネットワークに加入するために送信する。
ステップ５５で、加入装置２１は、ネットワークに加入するためのそのリクエストを報知する。
加入装置２１及び／又はネットワーク装置１のＭＡＣアドレスは、通信インタフェース２に含まれる代わりに、適切なメモリに格納される。
図５の実施例を参照して、ステップ５４で装置を自動的に選択するように設定される代わりに、加入装置２１は、ユーザがコミッショニングのための装置を選択可能にするためディスプレイ２７近傍の全ての装置のリストを示すように設定される。
２つのネットワークシステム３０、３５のために設定される代わりに、加入装置２１は、３つ以上のネットワークシステムの動作のために設定される。及び／又は、
加入装置２１がコミッショニング、すなわち他の装置を第１のネットワークシステム３０に加入することを意図されない場合、加入情報はアドレス範囲情報を有さない。
【０１１５】
更にまた、コミッショニングモード及び／又は発見モードでの通信は、代わりに又は加えて、２００７年１０月１９日付の「Ｚｉｇｂｅｅ（登録商標）２００７」を説明するドキュメント０５３４７４ｒ１７に規定されるように、Ｚｉｇｂｅｅ（登録商標）グローバルＰＡＮ−ＩＤ伝送と少なくとも部分的に対応してもよい。
【０１１６】
グローバルＰＡＮ−ＩＤ伝送は、ＮＷＫレイヤ上の伝送ではあるが、特定のＰＡＮ−ＩＤ、例えばルーティングされ範囲内の各装置により受信されるＤｓｔＰＡＮＩＤ＝０ｘＦＦＦＦでアドレス指定される。グローバルＰＡＮ−ＩＤ伝送は、暗号化されていないので、他の処理又は必要とされるＮｅｔｗｏｒｋ−Ｋｅｙ（ネットワークキー）なしに、装置内のそれぞれのアプリケーションに渡される。従って、グローバルＰＡＮ−ＩＤ伝送は、図３を参照して、代わりのネットワーク外の通信チャネル３１としてみなされる。
【０１１７】
開示された実施例に対する他のバリエーションは、図面、明細書及び添付の請求項から、本発明を実践する当業者により、理解され実行されるだろう。
【０１１８】
前述の説明及び添付の請求項において、単数の符号は複数を含むことも意味し、逆も同じことが言え、特徴又は装置の特定の番号は、特徴又は装置の特定の番号に本発明を限定するものと考慮されるべきではない。その上、「含む」又は「有する」のような表現は、他の要素を除外するものではなく、不定冠詞「ａ」又は「ａｎ」は複数を除外しない。
【０１１９】
相互に異なる従属項で特定の手段が再引用されているという単なる事実は、これら手段の組み合わせが好適に使用できないことを示すものではない。
【０１２０】
コンピュータプログラムは、他のハードウェアの一部と共に又は一部として供給される光記憶媒体、磁気記憶媒体若しくはソリッドステート媒体のような適当な媒体に格納／分配されてもよいが、インターネット又は他の有線若しくは無線通信システムを介してのような他の形式で分配されてもよい。
【０１２１】
請求項内の何れの参照符号も請求項を限定するものと考慮されるべきではない。
【図１】
0005702774.tif 000002
【図２】
0005702774.tif 000003
【図３】
0005702774.tif 000004
【図４】
0005702774.tif 000005
【図５】
0005702774.tif 000006
【図６】
0005702774.tif 000007
【図７】
0005702774.tif 000008